【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
第１のゲートを含む第１の電力スイッチと、
前記第１の電力スイッチと並列化されて第２のゲートを含む第２の電力スイッチと、
前記第１のゲートと前記第２のゲートとの両方を駆動するゲート駆動信号を出力するゲートドライバと、
前記第１のゲートに前記ゲート駆動信号を結合する第１の伝導路と、
前記第２のゲートに前記ゲート駆動信号を結合する第２の伝導路と、
前記第１の電力スイッチと前記第２の電力スイッチとに前記ゲート駆動信号を分配する分配チョークであって、
前記分配チョークが、前記第１の伝導路内に位置する第１の巻線と前記第２の伝導路内に位置する第２の巻線とを含み、
前記分配チョークが、差動モードで結合された、
前記分配チョークと、
前記ゲート駆動信号を分配する第２の分配チョークであって、
前記第２の分配チョークが、前記第１の伝導路内に位置する第３の巻線を備える、
前記第２の分配チョークと、
前記第１の電力スイッチと前記第２の電力スイッチとに並列化されて第３のゲートを含む第３の電力スイッチと、
前記第３のゲートに前記ゲート駆動信号を結合する第３の伝導路であって、
前記第２の分配チョークが、前記第３の伝導路内に位置する第４の巻線を備える、
前記第３の伝導路と、
前記ゲート駆動信号を分配する第３の分配チョークであって、
前記第３の分配チョークが、前記第３の伝導路内に位置する第５の巻線と前記第２の伝導路内に位置する第６の巻線とを備える、
前記第３の分配チョークと、
を備える、電力スイッチモジュール。
【請求項２】
前記電力スイッチが、ＩＧＢＴ、ＭＯＳＦＥＴ、またはＨＥＭＴである、
請求項１に記載の電力スイッチモジュール。
【請求項３】
前記第１のゲートと前記第２のゲートとの両方を駆動する前記ゲート駆動信号を出力する一体化されたゲートドライバをさらに備える、
請求項１または請求項２に記載の電力スイッチモジュール。
【請求項４】
前記第１のゲートと前記第２のゲートとの両方を駆動するように外部ゲートドライバ信号のゲートドライバ出力を結合する端子をさらに備える、
請求項１または請求項２に記載の電力スイッチモジュール。
【請求項５】
すべてのパーツが、１つの電力スイッチモジュールに一体化された、
請求項１から請求項４のいずれか一項に記載の電力スイッチモジュール。
【請求項６】
前記電力スイッチが、すべてＩＧＢＴである、
請求項１から請求項５のいずれか一項に記載の電力スイッチモジュール。
【請求項７】
前記電力スイッチが、すべてＭＯＳＦＥＴである、
請求項１から請求項５のいずれか一項に記載の電力スイッチモジュール。
【請求項８】
前記電力スイッチが、すべてＨＥＭＴである、
請求項１から請求項５のいずれか一項に記載の電力スイッチモジュール。
【請求項９】
前記第１の伝導路が、第１のゲート抵抗を備え、
前記第２の伝導路が、第２のゲート抵抗を備える、
請求項１から請求項８のいずれか一項に記載の電力スイッチモジュール。
【請求項１０】
前記第１の伝導路と前記第２の伝導路とが、共通のゲート抵抗を備える、
請求項１から請求項９のいずれか一項に記載の電力スイッチモジュール。
【請求項１１】
共通の電力スイッチドライバが、共通のゲートドライバであり、
前記ゲートドライバが、１つまたは複数のゲート信号出力を含むか、または、別々のハイ／ローゲート出力を含む、
請求項１から請求項１０のいずれか一項に記載の電力スイッチモジュール。
【請求項１２】
電力スイッチモジュールであって、
第１のゲートを含む第１の電力スイッチと、
前記第１の電力スイッチと並列化されて第２のゲートを含む第２の電力スイッチと、
前記第１のゲートと前記第２のゲートとの両方を駆動するように外部のゲート駆動信号のゲートドライバ出力を結合する端子と、
前記第１のゲートに前記ゲート駆動信号を結合する第１の伝導路と、
前記第２のゲートに前記ゲート駆動信号を結合する第２の伝導路と、
前記第１の電力スイッチと前記第２の電力スイッチとに前記ゲート駆動信号を分配する分配チョークであって、
前記分配チョークが、前記第１の伝導路内に位置する第１の巻線と前記第２の伝導路内に位置する第２の巻線とを含み、
前記分配チョークが、差動モードで結合された、
前記分配チョークと、
を備え、
前記電力スイッチモジュールが、同数の並列化された前記電力スイッチと前記分配チョークとを備え、
前記伝導路の各々が、少なくとも２つの前記巻線を含む、
電力スイッチモジュール。
【請求項１３】
第１のゲートを含む第１のＩＧＢＴと、
前記第１のＩＧＢＴと並列化されて第２のゲートを含む第２のＩＧＢＴと、
前記第１のゲートと前記第２のゲートとの両方を駆動するゲート駆動信号を出力するＩＧＢＴドライバと、
前記第１のゲートに前記ゲート駆動信号を結合する第１の伝導路と、
前記第２のゲートに前記ゲート駆動信号を結合する第２の伝導路と、
前記第１のＩＧＢＴと前記第２のＩＧＢＴとに前記ゲート駆動信号を分配する分配チョークであって、
前記分配チョークが、前記第１の伝導路内に位置する第１の巻線と前記第２の伝導路内に位置する第２の巻線とを含み、
前記分配チョークが、差動モードで結合された、
前記分配チョークと、
前記ゲート駆動信号を分配する第２の分配チョークであって、
前記第２の分配チョークが、前記第１の伝導路内に位置する第３の巻線を備える、
前記第２の分配チョークと、
前記第１のＩＧＢＴと前記第２のＩＧＢＴとに並列化されて第３のゲートを含む第３のＩＧＢＴと、
前記第３のゲートに前記ゲート駆動信号を結合する第３の伝導路であって、
前記第２の分配チョークが、前記第３の伝導路内に位置する第４の巻線を備える、
前記第３の伝導路と、
前記ゲート駆動信号を分配する第３の分配チョークであって、
前記第３の分配チョークが、前記第３の伝導路内に位置する第５の巻線を備え、
前記第３の分配チョークが、前記第２の伝導路内に位置する第６の巻線を備える、
前記第３の分配チョークと、
を備える、電力スイッチモジュール。
【請求項１４】
前記第１の伝導路が、第１のゲート抵抗を備え、
前記第２の伝導路が、第２のゲート抵抗を備える、
請求項１３に記載の電力スイッチモジュール。
【請求項１５】
前記第１の伝導路と前記第２の伝導路とが、前記ＩＧＢＴドライバと前記分配チョークとの間に１つまたは複数の第１の導体を備え、
前記第１の伝導路が、前記分配チョークと前記第１のゲートとの間に１つまたは複数の第２の導体を備え、
前記第２の伝導路が、前記分配チョークと前記第２のゲートとの間に１つまたは複数の第３の導体を備え、
前記１つまたは複数の第２の導体が、前記１つまたは複数の第１の導体より長く、
前記１つまたは複数の第３の導体が、前記１つまたは複数の第１の導体より長い、
請求項１３に記載の電力スイッチモジュール。
【請求項１６】
ゲートと主端子のペアとを含む第１の電圧制御される電力スイッチと、
ゲートと主端子のペアとを含む第２の電圧制御される電力スイッチであって、
前記第１の電圧制御される電力スイッチと前記第２の電圧制御される電力スイッチとの各々の前記主端子のうちの１つが、相互に結合された、
前記第２の電圧制御される電力スイッチと、
第１の巻線と第２の巻線とを備える差動チョークと、
前記第１の電圧制御される電力スイッチの前記ゲートに第１の伝導路により結合された、および、前記第２の電圧制御される電力スイッチの前記ゲートに第２の伝導路により結合されたゲート駆動信号出力を備える電力スイッチドライバと、
を備え、
前記第１の伝導路が、前記第１の巻線を備え、
前記第２の伝導路が、前記第２の巻線を備え、
前記ゲート駆動信号出力と前記第１の巻線との間における前記第１の伝導路のインピーダンスと、前記ゲート駆動信号出力と前記第２の巻線との間における前記第２の伝導路のインピーダンスとの差が、前記第１の巻線と前記第１の電圧制御される電力スイッチの前記ゲートとの間における前記第１の伝導路のインピーダンスと、前記第２の巻線と前記第２の電圧制御される電力スイッチの前記ゲートとの間における前記第２の伝導路のインピーダンスとの差より小さい、
電力スイッチモジュール。
【請求項１７】
前記第１の伝導路が、前記第１の巻線と前記第１の電圧制御される電力スイッチの前記ゲートとの間に位置する第１のゲート抵抗を備え、
前記第２の伝導路が、前記第２の巻線と前記第２の電圧制御される電力スイッチの前記ゲートとの間に位置する第２のゲート抵抗を備える、
請求項１６に記載の電力スイッチモジュール。
【請求項１８】
第３の巻線と第４の巻線とを備える第２の差動チョークをさらに備え、
前記第１の伝導路が、前記第３の巻線を備える、
請求項１６に記載の電力スイッチモジュール。
【請求項１９】
ゲートと主端子のペアとを含む第３の電圧制御される電力スイッチをさらに備え、
前記第３の電圧制御される電力スイッチの前記主端子のうちの１つが、前記第１の電圧制御される電力スイッチと前記第２の電圧制御される電力スイッチとの前記主端子のうちの結合された前記主端子に結合され、
前記ゲート駆動信号出力が、前記第３の電圧制御される電力スイッチの前記ゲートに第３の伝導路により結合され、
前記第３の伝導路が、前記第４の巻線を備える、
請求項１８に記載の電力スイッチモジュール。
【請求項２０】
前記電力スイッチが、ＩＧＢＴであり、
共通の電力スイッチドライバが、共通のＩＧＢＴドライバである、
請求項１６から請求項１９のいずれか一項に記載の電力スイッチモジュール。
【請求項２１】
電力スイッチモジュールであって、
各々がそれぞれの制御端子を含む３つ以上の並列化された電力スイッチと、
それぞれの伝導路により、前記並列化された電力スイッチの前記制御端子の各々に結合された単一のゲート駆動信号出力を備える共通の電力スイッチドライバと、
巻線のペアを各々が備える３つ以上のチョークであって、
各前記チョークの前記巻線が、差動モードで、前記伝導路のうちの異なるもの内に配置され、
前記伝導路のうちの少なくとも１つが、少なくとも２つの巻線を含む、
前記３つ以上のチョークと、
を備え、
前記電力スイッチモジュールが、同数の並列化された前記電力スイッチと前記チョークとを備え、
前記伝導路の各々が、少なくとも２つの前記巻線を含む、
電力スイッチモジュール。
【請求項２２】
前記電力スイッチが、ＩＧＢＴであり、
前記共通の電力スイッチドライバが、共通のＩＧＢＴドライバである、
請求項２１に記載の電力スイッチモジュール。
【請求項２３】
前記伝導路が、共通のゲート抵抗を備える、
請求項２１または請求項２２に記載の電力スイッチモジュール。
【請求項２４】
前記電力スイッチの前記制御端子間に結合された複数のキャパシタンスをさらに備える、
請求項２１から請求項２３のいずれか一項に記載の電力スイッチモジュール。
【請求項２５】
各前記伝導路に対して少なくとも１つの独立したコンデンサが存在する、
請求項２４に記載の電力スイッチモジュール。
【請求項２６】
各前記キャパシタンスの第１の端部が、前記電力スイッチの前記制御端子に結合され、
各前記キャパシタンスの第２の端部が、他の前記キャパシタンスに結合された、
請求項２４または請求項２５に記載の電力スイッチモジュール。
【請求項２７】
すべての前記キャパシタンスの前記第２の端部が、相互に結合されて容量性クランプ回路を形成する、
請求項２４から請求項２６のいずれか一項に記載の電力スイッチモジュール。
【請求項２８】
抵抗器が、各前記キャパシタンスに結合された、
請求項２４から請求項２７のいずれか一項に記載の電力スイッチモジュール。
【請求項２９】
前記抵抗器の第１の端部が、それぞれの前記コンデンサの前記第１の端部に結合され、
前記抵抗器の第２の端部が、前記コンデンサの前記第２の端部に結合された、
請求項２８に記載の電力スイッチモジュール。